【手続補正書】
【提出日】平成18年1月18日(2006.1.18)
【手続補正１】
【補正対象書類名】明細書
【補正対象項目名】特許請求の範囲
【補正方法】変更
【補正の内容】
【特許請求の範囲】
【請求項１】  外部接続ポートに合体可能で種々のインターフェース方式により対応する機能拡張部位を通じて、外部との機能の転送やデータ通信を行う際に、合体された機能拡張部位に用いられているインターフェース方式に対応可能なコントローラを有するコントローラ群と、
前記コントローラ毎に電気的に導通させて駆動可能にするコントローラスイッチからなるスイッチ部と、
合体した前記機能拡張部位と対峙する面に配置され、合体した機能拡張部位による個別な検出信号を出力する検出部と、
前記検出部からの検出信号に基づき、前記コントローラスイッチを開閉動作させ、好適するコントローラを駆動可能にするスイッチ駆動部と、
を備えて情報処理を行う情報端末装置と、
前記情報端末装置との合体時に前記外部接続ポートに嵌合する本体接続ポート及び、前記情報端末装置のそれぞれの検出部に対峙して種別を表すように配設された被検出部位とを備える機能拡張部位と、
で構成されることを特徴とする情報端末装置システム。
【請求項２】  前記情報端末装置システムにおける前記検出部は、検出信号に基づき、合体させている機能拡張部位の種別を判別し、前記コントローラ群から好適するコントローラを選択する判別部を含む請求項１に記載の情報端末装置システム。
【請求項３】  前記情報端末装置システムにおいて、さらに、
前記コントローラスイッチは、前記検出部の検出信号に従い開閉し、前記外部接続ポートに設けられた機能拡張部位用電源端子に電源電圧の供給若しくは供給停止を行うための電源供給スイッチを具備し、
前記情報端末装置と前記機能拡張部位とが合体している間、前記電源供給スイッチを導通状態にして、前記外部接続ポートの端子に電源電圧を供給することを特徴とする請求項１に記載の情報端末装置システム。
【請求項４】  前記情報端末装置システムにおける前記スイッチ部の個数は、構成に応じて単数のスイッチまたは、複数のスイッチ群として扱われることを特徴とする請求項１に記載の情報端末装置システム。
【請求項５】  前記情報端末装置システムにおける前記検出部は、構成に応じて、前記機能拡張部位と対峙する面に単数または、複数配置されることを特徴とする請求項１に記載の情報端末装置システム。
【請求項６】  前記情報端末装置システムにおける前記スイッチ駆動部は、前記判別部の判別信号に基づき、前記コントローラスイッチを開閉動作させ、好適するコントローラを駆動可能になるようにするスイッチ駆動部を備えることを特徴とする請求項２に記載の情報端末装置システム。
【請求項７】  前記情報端末装置システムにおける前記検出部は、磁気センサにより構成され、
前記被検出部位は、合体時に前記磁気センサに対峙するように配列された磁石により構成され、
前記機能拡張部位の種別に従って、磁石の配設の有無による個別な配列を行い、その配列状態から前記判別部が前記機能拡張部位の種別を判別することを特徴とする請求項２に記載の情報端末装置システム。
【請求項８】  前記情報端末装置システムにおける前記検出部は、
投受光素子からなる光センサにより構成され、前記被検出部位が遮光部材により構成され、
前記合体した際に、前記光センサにおける投受光素子間の光束が前記被検出部位により遮光され、前記光センサが感知し、前記スイッチ駆動部へ切り換えを示唆することを特徴とする請求項１に記載の情報端末装置システム。
【請求項９】  前記情報端末装置システムにおける前記検出部は、
投受光素子からなる光センサにより構成され、
前記被検出部位が前記光センサの光束の光路上に配置される反射部材を含み、前記合体時に、前記光センサにおける投受光素子間の光束が前記被検出部位より反射され、その反射光を前記光センサが感知し、前記スイッチ駆動部へコントローラスイッチの切り替えを示唆することを特徴とする請求項１に記載の情報端末システム。
【請求項１０】  前記情報端末装置システムにおける前記検出部は、
バーコードスキャナにより構成され、前記被検出部位がバーコードにより構成され、
前記合体した際に、前記バーコードスキャナが読み取ったバーコードによる情報により、前記スイッチ駆動部へ切り換えを示唆することを特徴とする請求項１に記載の情報端末装置システム。
【請求項１１】  前記情報端末装置システムにおける前記検出部は、
マイクロフォンにより構成され、前記合体示唆部がスピーカにより構成され、合体した際に、前記スピーカが発した超音波を前記マイクロフォンで受音したときに前記スイッチ駆動部へ切り換えを示唆することを特徴とする請求項１に記載の情報端末装置システム。
【請求項１２】  前記情報端末装置システムにおける前記検出部は、
受信アンテナにより構成され、前記合体示唆部が送信アンテナにより構成され、合体した際に、前記送信アンテナから発する電磁波を前記受信アンテナが検知したときに前記スイッチ駆動部へ切り換えを示唆することを特徴とする請求項１項に記載の情報端末装置システム。
【請求項１３】  前記情報端末装置システムにおける前記検出部は、投光部及び受光部からなるフォトリフレクタにより構成され、
前記被検出部位が、前記機能拡張部位の表面若しくは、該表面に装着された反射部材で構成され、
前記合体した際に、前記投光部から照射された光束が前記表面若しくは前記反射部材で反射され、その反射光を受光した前記受光部が感知し、前記スイッチ駆動部へ切り換えを示唆することを特徴とする請求項１に記載の情報端末装置システム。
【請求項１４】  前記情報端末装置システムにおける前記検出部は、投光部及び受光部からなり、複数の波長の光束を検知可能なカラーセンサにより構成され、前記被検出部位が、前記機能拡張部位の表面に装着され、入射光の波長とは異なる波長の反射光を反射する反射部材で構成され、
前記合体した際に、前記投光部から照射された光束が前記表面若しくは前記反射部材で反射され、その反射光を受光した前記受光部が感知し、前記スイッチ駆動部へ切り換えを示唆することを特徴とする請求項１項に記載の情報端末装置システム。
【請求項１５】  外部機器との通信を行うためのインターフェースコントローラを有する情報端末装置と、
インターフェースコネクタを有し、前記情報端末装置と合体して、外部機器との通信を行う為の機能拡張部位と、
前記情報端末装置と前記機能拡張部位を電気的に接続する接続手段と、
前記情報端末装置と前記機能拡張部位の合体の有無を検出する検出手段と、
前記検出手段による検出状態に応じて、前記情報端末装置内蔵の前記インターフェースコントローラに対して、電源の供給を制御するスイッチング手段とを具備することを特徴とする情報端末装置。
【請求項１６】  ＵＳＢコントローラを持つ情報端末装置と、
ＵＳＢコネクタを持ち、前記情報端末装置と合体し、外部機器との通信を行う為の機能拡張部位と、
前記情報端末装置と前記機能拡張部位を電気的に接続する接続手段と、
前記情報端末装置と前記機能拡張部位の合体の有無を検出する検出手段と、
前記検出手段による検出状態に応じて、前記情報端末装置内のＵＳＢデバイスに対して、電源の供給を制御するスイッチング手段とからなる情報端末装置。
【請求項１７】  前記検出手段は、
前記機能拡張部位側に配置された磁石と、
前記磁石の磁界を検出する前記情報端末側に配置された磁気センサとからなることを特徴とする請求項１５に記載の情報端末装置。
【請求項１８】  前記スイッチング手段は、
前記磁気センサの検出信号に基づいて、合体時にはＵＳＢコントローラへの供給電源並びに、前記機能拡張部位の接続ポートと、ＵＳＢコントローラの間の信号ラインをスイッチングするスイッチからなることを特徴とする請求項１７に記載の情報端末装置。
【請求項１９】  前記スイッチング手段は、
前記センサにより、前記機能拡張部位の接続ポートと、ＵＳＢコントローラの間の信号ラインをスイッチングするスイッチからなることを特徴とする請求項１８に記載の情報端末装置。
【請求項２０】  前記検出手段は、
前記機能拡張部位側に突起と、
前記の突起を挟むように配置した情報端末側に設けられた発光部と受光部とからなることを特徴とする請求項１５に記載の情報端末装置。
【請求項２１】  前記検出手段は、
前記機能拡張部位側に設けられたバーコードと、
前記のバーコードをデコードする情報端末側に設けられたスキャナとからなることを特徴とする請求項１６に記載の情報端末装置。
【請求項２２】  前記検出手段は、
前記機能拡張部位側に超音波スピーカと、
前記スピーカの発する超音波を検知する情報端末側のマイクとからなることを特徴とする請求項１５に記載の情報端末装置。
【請求項２３】  前記検出手段は、
前記機能拡張部位側に設けられた送信アンテナと、
前記送信アンテナから発する電磁波を検知する情報端末側に設けられた受信アンテナとからなることを特徴とする請求項１５に記載の情報端末装置。
【請求項２４】  外部接続ポートを通じて、合体した種々の機能拡張部位が有する機能の転送やデータ通信を行うために、複数のインターフェース方式に対応可能に設けられた複数のコントローラからなるコントローラ部と、
前記コントローラ部のコントローラ毎に設けられ、該コントローラを駆動用電源に導通させて駆動可能にするコントローラスイッチからなるスイッチ部と、
合体した前記機能拡張部位と対峙する面に配置され、合体した機能拡張部位による個別な検出信号を出力する検出部と、
前記検出部からの検出信号に基づき、合体されている可能拡張部位のインターフェース方式の種別を判別し、前記コントローラ部から好適するコントローラを選択する判別部と、
前記判別部により選択されたコントローラが駆動可能になるように前記コントローラスイッチを開閉動作させるスイッチ駆動部と、
を備えて情報処理を行う情報端末装置と、
前記情報端末装置との合体時に前記外部接続ポートに嵌合する本体接続ポート及び、前記情報端末装置のそれぞれの検出部に対峙して種別を表すように配設された被検出部位と、を備える機能拡張部位と、
で構成されることを特徴とする情報端末装置システム。
【請求項２５】  外部接続ポートを通じて、合体した種々の機能拡張部位が有する機能の転送やデータ通信を行うために、それぞれが異なる１つのインターフェース方式に対応可能な第１、第２のコントローラからなるコントローラ部と、
前記コントローラ部の２つのコントローラのうち、通常時には前記第１のコントローラに導通して、切り替え時には前記第２のコントローラに導通する１つのコントローラスイッチと、
合体した前記機能拡張部位と対峙する面に配置され、合体した機能拡張部位のインターフェース方式を判別するための個別な検出信号を出力する検出部と、
前記検出部からの検出信号に基づき、前記コントローラスイッチの切り替え動作を行い、コントローラを切り替えるスイッチ駆動部と、
を備えて情報処理を行う情報端末装置と、
前記情報端末装置との合体時に前記外部接続ポートに嵌合する本体接続ポート及び、前記情報端末装置の検出部に対峙してインターフェース方式を表すように配設された被検出部位と、を備える機能拡張部位と、
で構成されることを特徴とする情報端末装置システム。